(57)【要約】      （修正有）【課題】電気錠に関し、ロックカム４とマニュアルレバー７との係合解除が、扉の状態に左右されず、常に安定して遂行されるようにする。【解決手段】ロックカム４、マニュアルレバー７、スライドカム１０、ソレノイド１１と、プランジャー用弾性部材１６とからなり、ソレノイド１１に通電してプランジャー１２を没入させ前記スライドカム１０を後退させ解錠状態にした後に、扉を閉方向に押圧することでフック３によりマニュアルレバー７とロックカム４との係止が解除されて、扉の押圧作用を解除するとロックカム４の弾性部材８による付勢力で解錠方向に回転するロックカム４で扉が開けられる電気錠１とする。【選択図】図１
2005282025.tif 000002
【特許請求の範囲】
【請求項１】
扉側のフックを係止するフック係止部を有して弾性部材により常に解錠方向に付勢されている回動自在なロックカムと、
前記ロックカムの解錠方向への回転を阻止するカム係止部を有するレバーで常に前記カム係止部を係止解除方向に弾性部材で付勢されている回動自在なマニュアルレバーと、
前記マニュアルレバーの一部に係合して該マニュアルレバーのロックカムとの係合を制御する進退自在なスライドカムと、
前記スライドカムを出没自在なプランジャーを介して進退させるソレノイドと、
前記ソレノイドのプランジャーに嵌装され前記スライドカムを常に前進させマニュアルレバーがロックカムに係合するように付勢するプランジャー用弾性部材とからなり、
前記ソレノイドに通電してプランジャーを没入させ前記スライドカムを後退させ解錠状態にした後に、扉を閉方向に押圧することで前記フックにより前記マニュアルレバーとロックカムとの係止が解除されて、前記扉の押圧作用を解除すると前記ロックカムの弾性部材による付勢力で解錠方向に回転するロックカムで当該扉が開けられること、
を特徴とする電気錠。
【請求項２】
ソレノイド本体の軸芯及びプランジャーの軸芯と、平板状のマニュアルレバー及びロックカムの平面とが、略同一の平面内に納まっていて、電気錠本体の厚みが前記ソレノイド本体の厚みとほぼ同じ程度になるように薄くされていること、
を特徴とする請求項１に記載の電気錠。
【請求項３】
スライドカムは、平板状のマニュアルレバーの一部に係合する凹部を有したコ字型の平板体であり、施錠時には当該凹部の底部で前記マニュアルレバーに当接し回転させカム係止部でロックカムの解錠方向への回転を阻止すること、
を特徴とする請求項１または２に記載の電気錠。
【発明の詳細な説明】
【技術分野】
【０００１】
本発明は、例えば、ロッカー等に使用される電気錠に関するものである。
【背景技術】
【０００２】
従来、例えばロッカー等の保管装置に、遠隔操作が可能で管理も容易な電気錠が知られている（特許文献１参照）。
【特許文献１】特開平７−１１８２３号公報
【０００３】
しかし、従来の電気錠では、図６（Ａ），（Ｂ）に示すように、ソレノイド１１のプランジャー１２に、スライドカム１３が連結されており、そのスライドカム１３に穿設された係合孔１３ａにマニュアルレバー１４の突起１４ａが嵌合され、当該マニュアルレバー１４を軸１５を中心にして解錠方向に引き寄せるようになっている。符号１６はスプリングを示しており、前記プランジャー１２を常にソレノイド本体から突出させるように付勢している。
【０００４】
そして、図６（Ｃ）、（Ｄ）に示すように、解錠状態になると、ソレノイド１１が通電され、スプリング１６の付勢力に抗してプランジャー１２が本体に没入し、スライドカム１３が図中で左側に引き寄せられ、係合孔１３ａに係合している突起１４ａを介してマニュアルレバー１４が反時計方向である解除方向に回転される。
【０００５】
前記マニュアルレバー１４の解除方向への回転により、ロックカム（図示せず）との係止作用が解除されて、当該ロックカムが解錠方向へ回転する。これにより、扉のフックが前記ロックカムから外れて扉が開く。
【発明の開示】
【発明が解決しようとする課題】
【０００６】
このように、前記マニュアルレバー１４が直接的にスライドカム１３を介してソレノイド１１のプランジャー１２に引き寄せられて、解錠方向に回転される。しかしながら、ロッカーの内部に荷物等が詰め込まれて扉を外側に押しているような状態であると、機械的に連関するロックカムとマニュアルレバーとの係合部分が強く当接して、その摩擦抵抗が大きくなってしまい、前記ソレノイド１１の吸引力では、初期吸引力が弱いのでマニュアルレバー１４を解錠方向に引き寄せることができなくなる、と言うおそれがある。その対策として初期吸引力を強くすると、ソレノイドが大型化し、電気錠全体が重くなり製作コストも嵩むことになる。
【０００７】
電気錠における、ロックカムとマニュアルレバーとの係合解除が、扉の状態に左右されず、常に安定して遂行されるようにすることが課題である。
【課題を解決するための手段】
【０００８】
本発明に係る電気錠の要旨は、扉側のフックを係止するフック係止部を有して弾性部材により常に解錠方向に付勢されている回動自在なロックカムと、前記ロックカムの解錠方向への回転を阻止するカム係止部を有するレバーで常に前記カム係止部を係止解除方向に弾性部材で付勢されている回動自在なマニュアルレバーと、前記マニュアルレバーの一部に係合して該マニュアルレバーのロックカムとの係合を制御する進退自在なスライドカムと、前記スライドカムを出没自在なプランジャーを介して進退させるソレノイドと、前記ソレノイドのプランジャーに嵌装され前記スライドカムを常に前進させマニュアルレバーがロックカムに係合するように付勢するプランジャー用弾性部材とからなり、前記ソレノイドに通電してプランジャーを没入させ前記スライドカムを後退させ解錠状態にした後に、扉を閉方向に押圧することで前記フックにより前記マニュアルレバーとロックカムとの係止が解除されて、前記扉の押圧作用を解除すると前記ロックカムの弾性部材による付勢力で解錠方向に回転するロックカムで当該扉が開けられるようにしたことである。
【０００９】
前記ソレノイド本体の軸芯及びプランジャーの軸芯と、平板状のマニュアルレバー及びロックカムの平面とが、略同一の平面内に納まっていて、電気錠本体の厚みが前記ソレノイド本体の厚みとほぼ同じ程度になるように薄くされていること、；
また、前記スライドカムは、平板状のマニュアルレバーの一部に係合する凹部を有したコ字型の平板体であり、施錠時には当該凹部の底部で前記マニュアルレバーに当接し回転させカム係止部でロックカムの解錠方向への回転を阻止すること、；
を含むものである。
【発明の効果】
【００１０】
本発明の電気錠は、プランジャー用弾性部材の付勢力に抗してスライドカムを吸引するだけでよく、マニュアルレバーとロックカムとの係止が扉のフックにより行われるので、解錠動作が確実である。
また、前記ソレノイド本体の軸芯及びプランジャーの軸芯と、平板状のマニュアルレバー及びロックカムの平面とが、略同一の平面内に納まるようにすることで、電気錠本体の厚みが前記ソレノイド本体の厚みとほぼ同じ程度になるように薄くされ、コンパクトな錠となる。
【００１１】
前記スライドカムは、平板状のマニュアルレバーの一部に係合する凹部を有したコ字型の平板体なので、解錠時にプレンジャーで引き寄せて後退させても、マニュアルレバーとの係合がないので、負荷が増大することが無く、ソレノイドのプランジャーはプランジャー用弾性部材の付勢力に抗してスライドカムのみ引き寄せるようになる。また、施錠時には、プランジャー用弾性部材の付勢力で前進せしめられ、マニュアルレバーが解錠方向に回転するのを阻止する。
【発明を実施するための最良の形態】
【００１２】
本発明に係る電気錠１は、図１に示すように、扉２側のフック３を係止するフック係止部４ａを有して弾性部材、例えば、トーションバネ５により常に解錠方向（図中の矢印）に付勢されている、軸６を中心にして回動自在なロックカム４がある。
【００１３】
前記ロックカム４の解錠方向への回転を阻止するカム係止部７ａを有するレバーで常に前記カム係止部７ａを係止解除方向（解錠方向である：図中の矢印）に弾性部材、例えば、トーションバネ８で付勢されている、軸９を中心にして回動自在なマニュアルレバー７がある。
【００１４】
前記マニュアルレバー７の一部である突起７ｂに係合して、該マニュアルレバー７の前記ロックカム４との係合を制御する進退自在な平板状のスライドカム１０がある。
【００１５】
前記スライドカム１０を出没自在なプランジャー１２を介して進退させる、３線式自己保持型のソレノイド１１と、前記ソレノイド１１のプランジャー１２に嵌装され前記スライドカム１０を常に前進させ、前記マニュアルレバー７がロックカム４に係合するように付勢するプランジャー用弾性部材であるコイルスプリング１６とがある。
【００１６】
更に、センサーとして、ソレノイド１１の通電を制御するため吸引状態を検知するソレノイドセンサー１７と、扉２の開閉を検知する扉開閉センサー１８とが設けられている。
【００１７】
前記図１に示す電気錠１は、本体のケースを撤去して内部構造を見やすくした状態ものであり、全体図は、図２（Ａ），（Ｂ），（Ｃ）に示す。
【００１８】
前記スライドカム１０は、例えば金属製で、図３に示すように、平板状のマニュアルレバー７の突起７ｂに係合する凹部１０ａを有したコ字型の平板体である。施錠時には、当該凹部１０ａの底部１０ｂで前記マニュアルレバー７に当接し、詳しくは、突起７ｂ部分の外周縁部に当接して軸９を中心に施錠方向（時計方向）に回転させ、カム係止部７ａでロックカム４の解錠方向（反時計方向）への回転を阻止するものである。
【００１９】
図１乃至図２に示すように、ソレノイド１１本体の軸芯及びプランジャー１２の軸芯と、平板状のマニュアルレバー７及びロックカム４の平面とが、ある幅で仮想の略同一の平面内に納まっていて、電気錠１本体の厚みが前記ソレノイド本体１１の厚みとほぼ同じ程度になるように薄くされている。これにより、ロッカー等の筐体の電気錠１を取り付ける壁を薄くすることができる。
【００２０】
このようにして成る本発明に係る電気錠１の使用方法を説明する。図４に示すように、扉２が開けられた状態（同図（Ａ））においては、ロックカム４はトーションバネ５の付勢力によって反時計方向に回転されている。よって、扉開閉センサー１８では、扉開を検知している。
【００２１】
また、マニュアルレバー７は、コイルスプリング１６の付勢力により、プランジャー１２及びスライドカム１０を介して、軸９を中心にして時計方向に回転されている。この場合、トーションバネ８が前記マニュアルレバー７を反時計方向に回転させようとするが、前記コイルプスリング１６の付勢力の方が強く設定されているので、マニュアルレバー７は時計方向に回転される。よって、ソレノイド１１は無通電状態であって、プランジャー１２がソレノイド本体から突出しているので、ソレノイドセンサー１７は、復帰状態であることを検知する。
【００２２】
図４（Ａ）に示す解錠状態から施錠状態にするには、同図（Ｂ）に示すように、扉２を閉めると、フック３がフック係止部４ａに入り込み、トーションバネ５の付勢力に抗してロックカム４を軸６を中心に時計方向に回転させる。
【００２３】
前記扉２が、枠体との隙間ａがほとんど無くなるくらいに押し込まれることで、前記ロックカム４の外周部にある段差係止部４ｂが、回転してカム係止部７ａを通り過ぎる。マニュアルレバーは、最初、ロックカム左側の外周部に押されて反時計方向に回転するが、前記段差係止部４ｂが通過したことで、カム係止部７ａがコイルスプリング１６の付勢力によって落ち込んで、時計方向に回転する。
【００２４】
次に、図４（Ｃ）に示すように、前記扉２が若干戻り、枠体との隙間ｂとなると、ロックカム４が軸６を中心に反時計方向に回転するが、前記マニュアルレバー７のカム係止部７ａが落ち込んでいるのでこれに係止され、それ以上の回転が阻止される。
【００２５】
前記ロックカム４の外周部に押されて、扉開閉センサー１８では、扉２が閉じられていると検知される。
【００２６】
次に、扉２の解錠方法について、図５を参照して説明する。前述の図４（Ｃ）に示す施錠状態に対して、例えば、キーにより解錠操作をし、若しくは、暗唱番号等をテンキーから打ち込むと、ソレノイド１１に電源供給部（図示せず）から瞬時に通電される。すると、プランシャー１２が、コイルスプリング１６の付勢力に抗して本体のボビン内に引き込まれて後退し、永久磁石により保持される。コイルスプリング１６は縮退する。ソレノイド１１への通電は、プランジャー１２の没入完了により、その後、無通電となる。
【００２７】
前記プランジャー１２の没入により、図３（Ｃ），（Ｄ）に示すように、スライドカム１０が、図において左側に引き寄せられる。この操作では、プランジャー１２に係る負荷は、コイルスプリング１６だけであり、マニュアルレバー７を引き寄せる負荷は存在しない。ソレノイドセンサー１７により、プレンジャー１２が後退して、ソレノイドが解錠状態になったことが検知される。
【００２８】
前記テンキー等の解錠操作を行った後に、図５（Ｂ）に示すように、扉２を手で施錠方向へ押し込む。枠体との隙間がｂからａになり狭くなったことで、トーションバネ５の付勢力に抗して、フック３によりロックカム４が軸６を中心に反時計方向に回転される。
【００２９】
前記ロックカム４の回転により、カム係止部７ａと段差係止部４ｂとの係止作用が解除される。すると、マニュアルレバー７は、トーションバネ８の付勢力により、軸９を中心に反時計方向に回転する。スライドカム１０が既に後退しているので、凹部１０ａの底部１０ｂに当接するまで回転する。
【００３０】
そして、前記扉２から手を離すと、前記ロックカム４は、図５（Ｃ）に示すように、トーションバネ５の付勢力により反時計方向に回転し、フック３を押し出して扉２を開ける。扉開閉センサー１８により、扉２が開かれた解錠状態になったことが検知される。すると、前記ソレノイド１１に、短時間に開放電流が流される。
【００３１】
前記ソレノイド１１のプランジャー１２が本体から突出し、コイルスプリング１６により確実に元の位置に復帰される。よって、プランジャー１２に連結されたスライドカム１０が図において右方向に押し出され、トーションバネ８の付勢力に抗して、マニュアルレバー７が軸９を中心に時計方向に回転し、カム係止部７ａがロックカム４の外周縁部に当接しする。ソレノイドセンサー１７は、復帰状態であることを検知する。こうして、図４（Ａ）に示す電気錠１の扉解錠状態になる。
【図面の簡単な説明】
【００３２】
【図１】本発明に係る電気錠１の本体ケースを撤去して内部構造を示す正面図である。
【図２】同本発明の電気錠１の平面図（Ａ）、正面図（Ｂ）、側面図（Ｃ）である。
【図３】同電気錠１における、ソレノイドとスライドレバーとの関係を示す説明図（Ａ），（Ｂ）と、更に、マニュアルレバーとの関係を示す説明図（Ｃ），（Ｄ）である。
【図４】同電気錠１の施錠方法を示す説明図（Ａ），（Ｂ），（Ｃ）である。
【図５】同電気錠１の解錠方法を示す説明図（Ａ），（Ｂ），（Ｃ）である。
【図６】従来例に係る電気錠の、ソレノイドとスライドレバー及びマニュアルレバーとの関係を示す解錠状態の説明図（Ａ），（Ｂ）と、施錠状態の説明図（Ｃ），（Ｄ）である。
【符号の説明】
【００３３】
１          電気錠、
２          扉、
３          フック、
４          ロックカム、            ４ａ      フック係止部、
４ｂ        段差係止部、
５          トーションバネ、
６          軸、  
７          マニュアルレバー、      ７ａ      カム係止部、
７ｂ        突起、                  ８        トーションバネ、
９          軸
１０        スライドカム、          １０ａ    凹部、
１０ｂ      底部、
１１        ソレノイド、
１２        プランジャー、
１７        ソレノイドセンサー、
１８        扉開閉センサー。
【図１】
2005282025.tif 000003
【図２】
2005282025.tif 000004
【図３】
2005282025.tif 000005
【図４】
2005282025.tif 000006
【図５】
2005282025.tif 000007
【図６】
2005282025.tif 000008